(57)【特許請求の範囲】
【請求項１】
映像表示機器用のスピーカーシステムであって、
カバーフレームと音響の放出のためのスピーカーとが一体的に結合されたカバーフレーム一体型スピーカーと、
箱状であって前面が開放されており、前記カバーフレーム一体型スピーカーの前記カバーフレームの後方に結合される後面カバーと、
前記後面カバーの上部および下部に位置する各側面にそれぞれ設けられており、それぞれが中空シリンダ状に形成されて内部に装着孔を有する振動減衰部材装着部と、
それぞれが中空シリンダ形状のボディー部を有し、該ボディー部のそれぞれが前記各振動減衰部材装着部内に挿入される、振動減衰部材と、
該振動減衰部材のそれぞれに係合して、前記後面カバーを、前記カバーフレーム一体型スピーカーとともにキャビネットに固定する固定手段とを備え、
前記各振動減衰部材のボディ部には、前記スピーカーの作動時に発生する前記後面カバーの振動が前記キャビネットに伝達されないように、前記各ボディ部のそれぞれの軸方向に沿ってそれぞれ前記カバーフレーム一体型スピーカーが移動可能になるように前記各固定手段が挿入されていることを特徴とする映像表示機器用のスピーカーシステム。
【請求項２】
前記カバーフレーム一体型スピーカーのカバーフレームは、前記後面カバーとの組立のための一対のネジ締付孔を備え、
前記後面カバーには、前記カバーフレームの前記各ネジ締付孔に対応する位置にネジ結合孔がそれぞれ設けられていることを特徴とする請求項１記載の映像表示機器用のスピーカーシステム。
【請求項３】
前記カバーフレーム一体型スピーカーの前記スピーカーは、トラック状のガスケットと、該ガスケットの内側に取り付けられるエッジとを有し、該ガスケットの短径と前記カバーフレームの短辺長とが同サイズであることを特徴とする請求項１記載の映像表示機器用のスピーカーシステム。
【請求項４】
前記カバーフレーム一体型スピーカーの前記ガスケットと前記カバーフレームとは、側面から見ると段差なしに同一面上に位置するように結合されることを特徴とする請求項１記載の映像表示機器用のスピーカーシステム。
【請求項５】
前記カバーフレーム一体型スピーカーの前記カバーフレームの後面には凹入溝が形成され、
前記後面カバーにおける前記カバーフレームとの結合面にはリブが形成され、
前記カバーフレーム一体型スピーカーと前記後面カバーとの組立によって前記後面カバーの前記リブと前記カバーフレームの前記凹入溝とが係合されて音の漏洩が防止されることを特徴とする請求項１記載の映像表示機器用のスピーカーシステム。
【請求項６】
前記リブ及び前記凹入溝の個数を複数個にして前記音の漏洩を更に確実に防止可能にすることを特徴とする請求項５記載の映像表示機器用のスピーカーシステム。
【請求項７】
前記振動減衰部材は、
円周面上に複数個の切開溝が形成された前記ボディー部と、
前記ボディー部の切開溝の形成されない一端に形成されたフランジ部と、
前記ボディー部の切開溝の形成された他端に半径方向に突出して形成された突起と
を含むことを特徴とする請求項１記載の映像表示機器用のスピーカーシステム。
【請求項８】
前記振動減衰部材の前記ボディー部は、前記振動減衰部材装着部に組み立てるに際して前記振動減衰部材装着部の前記装着孔の内周面に接触し、
前記振動減衰部材の前記フランジ部は振動減衰部材装着部の前方縁にかかり、
前記突起は振動減衰部材装着部の前記装着孔内に完全に押入されて前記振動減衰部材装着部の後方縁にかかって前記振動減衰部材の離脱を防止することを特徴とする請求項７記載の映像表示機器用のスピーカーシステム。
【請求項９】
前記振動減衰部材の前記フランジ部には、前記振動減衰部材装着部の前方縁との接触面積を減少させて振動伝達面積を減少させるための複数個の切開溝を放射状に備えることを特徴とする請求項８記載の映像表示機器用のスピーカーシステム。
【請求項１０】
前記振動減衰部材を前記振動減衰部材装着部に組み立てる際、前記突起が前記装着孔内に容易に挿入されるように該突起の末端が面取りされていることを特徴とする請求項８記載の映像表示機器用のスピーカーシステム。
【請求項１１】
前記振動減衰部材の材質はゴム又はシリコンであることを特徴とする請求項９記載の映像表示機器用のスピーカーシステム。
【請求項１２】
前記固定手段は、前記各振動減衰部材の前記ボディ部内にそれぞれ挿入可能に前記キャビネットに設けられたボスを有し、該ボスが前記振動減衰部材の前記ボディ部の軸方向長さよりも短くなっていることを特徴とする請求項１記載の映像表示機器用のスピーカーシステム。
【請求項１３】
前記振動減衰部材装着部が、前記後面カバーの前記各側面の外側に該側面のそれぞれから完全に突出した状態で設けられており、前記後面カバーは、前記カバーフレーム一体型スピーカーの後側に固定された状態で、前記キャビネットに取り付け可能になっていることを特徴とする請求項１記載の映像表示機器用のスピーカーシステム。
【請求項１４】
前記固定手段は、前記振動減衰部材装着部の一端から前記ボス内に挿入されるネジ部材を有することを特徴とする請求項１２記載の映像表示機器用のスピーカーシステム。
【請求項１５】
前記カバーフレーム一体型スピーカー及び前記後面カバーは、前記各ネジ部材のみによって前記キャビネットに取り付けられることを特徴とする請求項１４記載の映像表示機器用のスピーカーシステム。
【請求項１６】
前記カバーフレーム一体型スピーカー及び前記後面カバーは、前記ネジ部材のみによって前記キャビネットに対して支持されることを特徴とする請求項１４記載の映像表示機器用のスピーカーシステム。
【請求項１７】
キャビネット内に取り付けられた映像表示機器用のスピーカーシステムであって、
前記映像表示機器に近接して配置されており、前面が開放された箱状であって、該開放された前面が、カバーフレーム一体型スピーカーの後側を受容するように、相互に平行かつ対向する一対の第１の側縁と、相互に平行かつ対向する一対の第２の側縁とによって形成されており、前記第１の側縁の各々は、前記第２の側縁のいずれよりも短い長さを有する、後面カバーと、
前記後面カバーの前記第１の側縁の一方を形成する側面に設けられた中空シリンダ状の振動減衰部材装着部と、
中空のシリンダ形状のボディ部を有し、前記振動減衰部材装着部内に装着された振動減衰部材と、
該振動減衰部材に係合して、前記後面カバーを前記キャビネットに固定する固定手段とを備え、
前記振動減衰部材の前記ボディ部には、前記スピーカーの作動時に発生する前記後面カバーの振動が前記キャビネットに伝達されないように、前記ボディ部の軸方向に沿って前記カバーフレーム一体型スピーカーが移動可能になるように前記固定手段が挿入されていることを特徴とする映像表示機器用のスピーカーシステム。
【請求項１８】
前記振動減衰部材装着部の中空シリンダ状部分が、前記後面カバーの側面から外側に完全に突出した状態で設けられており、前記カバーフレーム一体型スピーカーが前記後面カバーの前面に取り付けられているか否かに関わらず、前記後面カバーが前記キャビネットに取り付けることができることを特徴とする請求項１７記載の映像表示機器用のスピーカーシステム。
【請求項１９】
前記固定手段は、前記各振動減衰部材の前記ボディ部内に挿入可能に前記キャビネットに設けられたボスと、前記振動減衰部材装着部の一端から前記ボス内に挿入されるネジ部材とを有することを特徴とする請求項１７記載の映像表示機器用のスピーカーシステム。
【請求項２０】
前記カバーフレーム一体型スピーカー及び前記後面カバーは、前記各ネジ部材のみによって前記キャビネットに取り付けられることを特徴とする請求項１９記載の映像表示機器用のスピーカーシステム。
【請求項２１】
前記カバーフレーム一体型スピーカー及び前記後面カバーは、前記ネジ部材のみによって前記キャビネットに対して支持されることを特徴とする請求項１９記載の映像表示機器用のスピーカーシステム。
【発明の詳細な説明】
【０００１】
【発明の属する技術分野】
本発明は映像表示機器用のスピーカーシステムに関し、より詳しくは、映像表示機器の内部に装着されるスピーカーシステムの構造を改善して高音質且つ低ハウリング（ｈｏｗｌｉｎｇ）構造のスピーカーシステムを具現することに関する。
【０００２】
【従来の技術】
一般に、スピーカーシステムの内蔵されたコンピューターモニタなどの映像表示機器ではブラウン管の外側壁面とこれを包むキャビネットの内側壁面との間の空間にスピーカーシステムを位置させ、この空間の幅のサイズはスピーカーシステムの幅のサイズを決定する。又、スピーカーシステムの幅のサイズは、スピーカーシステムを構成するスピーカーの短径のサイズを決定し、スピーカーの長径と短径の比を決定する要因として作用する。このスピーカーの長径と短径の比はスピーカーの音質に大きな影響を及ぼし、もし他の条件が同一である場合、スピーカーは長径と短径の比が１：１である時に高音質の具現に最も有利である。即ち、スピーカーをなすガスケット及びコーン（ｃｏｎｅ）紙の幾何学的な形状が正円に近いほど高音質を具現するに有利である。
【０００３】
以下、図１〜図５を参照して従来の映像表示機器用のスピーカーシステムを説明する。
【０００４】
図１は従来の映像表示機器用のスピーカーシステムを示す分解斜視図であり、図２は図１のＩ−Ｉ線上の横断面図であり、図３は図１の結合状態を示す縦断面図である。図４は図３のＩＩ−ＩＩ線上の横断面図であり、図５は従来の映像表示機器を前面から見た概略図である。
【０００５】
従来の映像表示機器用のトラック状のスピーカーシステムの構成は、図１、図２に示すように、トラック状のスピーカー１００ａ（以下、スピーカーとする。）と、前記スピーカー１００ａの前面に装着される前面カバー６と、前記スピーカー１００ａの後方に装着される後面カバー２とに大別される。
【０００６】
前記スピーカー１００ａは、フレーム６００と、前記フレーム６００の内側に位置するガスケット（ｇａｓｋｅｔ）１０２と、前記ガスケット１０２の内側にリング状に取り付けられるエッジ１０３と、前記エッジ１０３の内側に円錐状に取り付けられるコーン（ｃｏｎｅ）紙１０４とから構成される。この際、前記フレーム６００の各角部分にはネジ結合孔６０１が形成されている。
【０００７】
前記前面カバー６は全体的には長方形をなし、中央部に楕円形の音波通過開口部６０２を備え、後面にはガスケット結合面６０３と後面カバー結合面６０４をそれぞれ備える。これとともに、前記前面カバー６の後面内側には、スピーカー結合用ネジ７０１の締め付けられるネジ締付孔が形成されたボス（ｂｏｓｓ）６０５（以下、スピーカー締付ボスとする。）、及び後面カバー結合用ネジ７０２の締め付けられるネジ締付孔が形成されたボス６０６（以下、後面カバー締付ボスとする。）をそれぞれ備え、前記前面カバー６の上端面及び下端面上にはキャビネット４のスピーカーシステム固定用ボス４０３に形成されたネジ締付孔４０４に結合されるネジ７０３が貫通する通孔設置部６０８を備える。この際、前記後面カバー結合面６０４は、図４に示すようにガスケット結合面６０３よりも後方に位置するように形成される。
【０００８】
後面カバー２は響き筒の機能を果たすよう全体的に前面の開放された箱状をなし、その両側面上には前記前面カバー６に形成された後面カバー締付ボス６０６との結合のための締付孔２０６、及び前記締付孔２０６へのネジの進行を案内するためのガイド溝２０７を形成している。
【０００９】
一方、スピーカー１００ａと前面カバー６と後面カバー２とから構成されたスピーカーシステムが装着されるキャビネット４にはスピーカーの作動時の音波放出のための複数個の音波放出孔４０２が形成されており、前面カバー６とのネジ締付により組み立てられたスピーカーシステムをキャビネット４上に結合させるためのスピーカーシステム固定用ボス４０３が形成されている（図３を参照）。
【００１０】
このように構成された従来のスピーカーシステムの組立過程は次の通りである。
【００１１】
まず、前面カバー６のスピーカー締付ボス６０５とスピーカー１００ａのフレーム６００の角に形成されたネジ結合孔６０１とを一致させた状態で前記前面カバー６とスピーカー１００ａとを相互結合するように前記ネジ結合孔６０１を介してネジ７０１を締め付ける。これにより、前面カバー６のガスケット結合面６０３とスピーカー１００ａのガスケット１０２とは密着され、漏れる後音による前向音の音圧の損失を防ぐことになる。上記したように前面カバー６とスピーカー１００ａとを結合させた後には、前記前面カバー６の後面カバー締付ボス６０６と後面カバー２の締付孔２０６とを一致させた状態で前記前面カバー６と後面カバー２とを相互結合するように前記締付孔２０６を介してネジ７０２を締め付ける。その後、キャビネット４のスピーカーシステム固定用ボス４０３と前記前面カバー６の通孔設置部６０８に形成された通孔６０９とを一致させた状態で前記通孔６０９を介してネジ７０３をスピーカーシステム固定用ボス４０３に締め付けて、キャビネット４上にスピーカーシステムを固定させる。
【００１２】
しかし、この従来の映像表示機器に適用されるスピーカーシステムは構造的な限界に起因して以下のいろいろの問題点を持っている。
【００１３】
まず、従来の映像表示機器用のスピーカーシステムは、スピーカー１００ａと響き筒の機能を果たす後面カバー２との結合のための媒介手段として多数のボス６０５、６０６を備えた複雑な形状の前面カバー６を必要とする。更に、従来のスピーカーシステムをキャビネット４上に装着するための媒介手段としても前記前面カバー６を必要とするが、これはスピーカーシステムをキャビネット４上に装着するための通孔設置部６０８を前面カバー６上に備えるからである。従って、従来のスピーカーシステムは、構成部品数が多く且つその形状が複雑であるため製造コストが高くかかり、部品の製造並びに組立にあたって生産性が低下する短所があった。すなわち、従来では複雑な形状の前面カバー６を必要とするため、部品数が多くなり、部品間の組立でもそれほど多数の締付部材が必要である。このため、従来のスピーカーシステムは、製造原価の上昇の要因が多くなり、形状の複雑性に起因して部品の製造時にも困難を経るだけでなく、組立ラインでの組立工数が多くなる等の問題点が生じる。
【００１４】
従来の映像表示機器用のスピーカーシステムの他の問題点は、前面カバー６の外壁内側面とスピーカー１００ａの外側面との間に一定のサイズの間隙（図４での‘Ａ’）を要求するため、設計的な側面及び材料費の側面で悪影響を受ける。即ち、前面カバー６の外壁内側面とスピーカー１００ａの外側面との間の間隙は前面カバー６と後面カバー２との組立のために必ず確保すべきであり、これはスピーカー１００ａの外側領域上に後面カバー２との組立のための後面カバー締付ボス６０６を確保するためである。上記理由に起因して前面カバー６の外壁内側面とスピーカー１００ａの外側面との間に一定のサイズの間隙（図４の‘Ａ’）を確保すべきなので、スピーカーフレーム６００の幅（図４の‘Ｂ’）よりも前面カバー６の幅（図４の‘Ｃ’）がより大きくなる。更に正確には、前面カバー６の幅（後面カバーの幅と同じ）は、フレーム６００の幅よりも図４の‘Ａ’間隙の２倍に相当するサイズに前面カバーの厚さの２倍のサイズを足したサイズほど大きくなる。一方、前記スピーカーシステムは、キャビネット４とブラウン管との間に装着する際、キャビネット４の内側面及びブラウン管の外側面からそれぞれ所定の間隙に離隔された状態をなすべきである。これにより、スピーカーシステムの内蔵のためのキャビネット４の内側面とブラウン管の外側面との間の間隙（図５の‘Ｄ’）も前面カバー６の外壁内側面とスピーカー１００ａの外側面との間の間隙（図４の‘Ａ’）に該当するサイズほど大きくならなければならないため、前述したようにスピーカーシステムの設計的な側面及び材料費の側面で悪影響を及ぼす問題点があった。一方、図５の符号‘Ｆ’は従来のスピーカーシステムのモニタ幅である。
【００１５】
従来の映像表示機器用のスピーカーシステムの又他の問題点は、前面カバー６の後面カバー結合面６０４と後面カバー２の前面カバー結合面２０８とを密着させることで漏れる後音の影響による前向音の音圧の損失を防いでいるが、前記前面カバー６の後面カバー結合面６０４と後面カバー２の前面カバー結合面２０８とを完全に密着し難いため、密着面間の隙間を通じる後音の漏洩を完全に遮断することができなくて前向音の音圧の損失をもたらす問題点があった。すなわち、後音の漏洩時、位相の反対である後音により前向音の音圧が低くなる現象が発生する問題点があった。
【００１６】
また、従来の映像表示機器用のスピーカーシステムの又他の問題点は、図４に示すような構造に前面カバー６がスピーカー１００ａの側面に結合されるので、図３の‘Ｅ’に示すようにガスケット１０２から前面カバー６の前面まで一定の長さの音波通路が形成され、これによりスピーカーの作動時にスピーカー１００ａから出る前向音が前記音波通路を通ることになる。この際、前記音波通路は前向音に対して洞穴効果（ｔｕｎｎｅｌ  ｅｆｆｅｃｔ）を起こす作用をし、この洞穴効果はスピーカー１００ａから出る前向音の音質を低下させる問題点があった。
【００１７】
ここで、洞穴効果とは、音響の特定周波数は音波通路を通りながら相殺され特定周波数は増幅されることにより所望の音質が具現されない現象のことである。
【００１８】
更に、従来のスピーカーシステムは振動減衰手段なしに強制体のネジによりキャビネット４に直結されているため、スピーカー１００ａの作動時に発生するシステムの振動が減衰されずにまっすぐにブラウン管に伝達され、これによりひどい画面フリッカ現象をもたらす問題点があった。即ち、減衰されずにまっすぐブラウン管に伝達された振動はブラウン管の内側に設けられたシャドウマスクの共振を引き起こし、これにより画面フリッカ現象を誘発する。このため、従来ではスピーカーの出力（ｗａｔｔａｇｅ）を高めることができなかったし、特に２００Ｈｚ以下で画面フリッカが最もひどいから低音帯域を下げることができなかった。これにより、音質の低下をもたらすことはもちろん、事実上映像表示機器に内蔵されるスピーカーシステムを高品質化し難かった。
【００１９】
【発明が解決しようとする課題】
本発明は上記の問題点等を解決するためのものであり、その目的は、映像表示機器用のスピーカーシステムの構造を改善して、構成部品数を減らして製造コストを低減し部品の製造並びに組立時の生産性を向上させる一方、スピーカーの短径と長径の比を１：１に近くして映像表示機器用のスピーカーシステムの音質を向上させることにある。
【００２０】
本発明の他の目的は、映像表示機器用のスピーカーシステムの構造を改善して、後音の漏洩に起因する前向音の音圧の損失を防ぐとともに洞穴効果に起因する音質の低下を防止することにある。
【００２１】
本発明の又他の目的は、スピーカーの作動時に発生するシステムの振動を効果的に減衰させて、スピーカーの作動時にキャビネットに伝達される振動による映像表示機器の画面フリッカ現象を防止することにある。
【００２２】
【課題を解決するための手段】
本発明の映像表示機器用のスピーカーシステムは、後面カバーとの組立のためのカバーフレームと音響の放出のためのスピーカーとが一体的に結合されたカバーフレーム一体型スピーカーと、カバーフレーム一体型スピーカーの後方に結合される後面カバーとを備えることを特徴とし、そのことにより上記目的が達成される。
【００２３】
カバーフレーム一体型スピーカーのカバーフレームに後面カバーとの組立のためのネジ締付孔をそれぞれ備え、後面カバーのカバーフレームのネジ締付孔に対応する位置にはネジ結合孔を備えてもよい。
【００２４】
カバーフレーム一体型スピーカーは、トラック状のガスケットの短径とカバーフレームの短辺長とが同サイズであってもよい。
【００２５】
カバーフレーム一体型スピーカーのガスケットとカバーフレームとは、側面から見るときなるべく段差なしに同一面上に位置するように結合されてもよい。
【００２６】
カバーフレーム一体型スピーカーのカバーフレームの後面には凹入溝が形成され、後面カバーのカバーフレームとの結合面にはリブが形成され、カバーフレーム一体型スピーカーと後面カバーとの組立によって後面カバーのリブとカバーフレーム一体型スピーカーの凹入溝とが係合されて後音の漏洩が防止されてもよい。
【００２７】
リブ及び凹入溝の個数を複数個にして後音の漏洩を更に確実に防止可能にしてもよい。
【００２８】
後面カバーの上・下部に、カバーフレーム一体型スピーカー及び後面カバーをキャビネット上に結合させる一方、スピーカーの作動時に発生するシステムの振動がキャビネットに伝達されないように振動を減衰させる振動減衰部材を装着してもよい。
【００２９】
後面カバーの前面の上・下端部に、振動減衰部材を挿入して固定させる中空シリンダ状の振動減衰部材装着部を備えてもよい。
【００３０】
振動減衰部材は、円周面上に複数個の切開溝が形成された中空シリンダ状のボディー部と、ボディー部の切開溝の形成されない一端に形成されたフランジ部と、ボディー部の切開溝の形成された他端に半径方向に突出して形成された突起とを含んでもよい。
【００３１】
振動減衰部材のボディー部は振動減衰部材装着部に組み立てるに際して振動減衰部材装着部の装着孔の内周面に接触し、振動減衰部材のボディー部の一端に半径方向に形成されたフランジ部は振動減衰部材装着部の前方縁にかかり、ボディー部の他端に放射状に形成された突起は振動減衰部材装着部の装着孔内に完全に押入されて振動減衰部材装着部の後方縁にかかって振動減衰部材の離脱を防止してもよい。
【００３２】
振動減衰部材のフランジ部には、振動減衰部材装着部の前方縁との接触面積を減少させて振動伝達面積を減少させるための複数個の切開溝を放射状に備えてもよい。
【００３３】
振動減衰部材を振動減衰部材装着部に組み立てる際、突起が装着孔内に容易に挿入されるように突起の末端が面取りされていてもよい。
【００３４】
振動減衰部材の材質はゴム又はシリコンであってもよい。
【００３５】
キャビネットの後面には、振動減衰部材を挿入してから締付部材を利用して締め付けることでスピーカーの結合された後面カバーをキャビネットに固定させるスピーカーシステム装着用結合ボスを形成し、スピーカーシステム装着用結合ボスの外周面上には、スピーカーシステム装着用結合ボスの外周面に挿入される振動減衰部材の挿入深さを限定する位置決めリブを備えてもよい。
【００３６】
位置決めリブからのスピーカーシステム装着用結合ボスに締結された締付部材までの距離は振動減衰部材の軸方向長よりも大きく形成され、スピーカーシステム装着用結合ボスの直径はその外周面に挿入される振動減衰部材のボディー部の内径よりも十分に小さく形成され、締付部材が振動減衰部材を圧縮しないようにするとともに、振動減衰部材の結合されたスピーカー及び後面カバーがスピーカーシステム装着用結合ボスの軸方向に沿って移動可能に構成されてもよい。
【００３７】
上記目的を達成するための本発明の第１形態は、映像表示機器用のスピーカーシステムであって、後面カバーとの組立のためのカバーフレームと音響の放出のためのスピーカーとが一体的に結合されたカバーフレーム一体型スピーカーと、前記カバーフレーム一体型スピーカーの後方に結合される後面カバーとを備えることを特徴とする映像表示機器用のスピーカーシステムを提供する。
【００３８】
本発明の第２形態は、映像表示機器用のスピーカーシステムであって、後面カバーに組み立てられるカバーフレームと音響の発生のためのスピーカーとが一体的に結合されたカバーフレーム一体型スピーカーと、前記カバーフレーム一体型スピーカーの後方に結合される後面カバーと、前記カバーフレーム一体型スピーカーとキャビネットとの間に介在してスピーカーの作動時に発生してキャビネットに伝達される振動を減衰させる振動減衰手段とを備えることを特徴とする映像表示機器用のスピーカーシステムを提供する。
【００３９】
【発明の実施の形態】
以下、本発明の実施形態を図６〜図１３Ｂを参照して詳細に説明する。
【００４０】
図６は本発明によるスピーカーシステムの映像表示機器の内部での設置位置を示す概略図で、図７Ａは本発明のスピーカーシステムを示す分解斜視図で、図７Ｂは図７Ａを背面から見た分解斜視図で、図８は図７Ａの結合状態を示す斜視図である。そして、図９Ａは図８のスピーカーシステムの正面図で、図９Ｂは図８のスピーカーシステムの側面図で、図１０は図９ＡのＩＩＩ−ＩＩＩ線上の縦断面図で、図１１は図９ＡのＩＶ−ＩＶ線上の横断面図である。図１２Ａ、Ｂは図１１の振動減衰部材の組立過程を示す図で、図１２Ａは振動減衰部材が弾性変形しながら装着孔内に挿入されている途中の状態を示す縦断面図で、図１２Ｂは振動減衰部材が装着孔内に挿入完了した後復元された状態を示す縦断面図である。一方、図１３Ａは本発明の第１実施形態のスピーカーシステムがキャビネット上に結合されたスピーカーシステム装着用結合ボスに結合される状態を示す分解斜視図で、図１３Ｂは図１３Ａの結合状態を示す斜視図である。
【００４１】
本発明による映像表示機器用のスピーカーシステムは、後面カバー２との組立のためのネジ締付孔１０６を上・下部に有するカバーフレーム１０１と、音響の放出のためのスピーカー１００とが一体的に結合されたカバーフレーム一体型スピーカー１と、前記カバーフレーム一体型スピーカー１の後方に結合され、上・下部にそれぞれ中空シリンダ状の振動減衰部材装着部２００を有する箱状の後面カバー２と、を備える。
【００４２】
この際、前記振動減衰部材装着部２００の装着孔２０１内には、カバーフレーム一体型スピーカー１及び後面カバー２をキャビネット４上に結合させる一方、スピーカーの作動時に発生してキャビネット４に伝達されるシステムの振動を減衰させるゴム又はシリコン材質の振動減衰部材３を挿入して固定させる。
【００４３】
一方、前記スピーカー１００は、カバーフレーム１０１の短辺（即ち、横辺）と同サイズの短径を有するトラック状のガスケット（ｇａｓｋｅｔ）１０２と、前記ガスケット１０２の内側にリング状に取り付けられるエッジ（ｅｄｇｅ）１０３と、前記エッジ１０３の内側に円錐状に取り付けられるコーン（ｃｏｎｅ）紙１０４とを含む。そして、前記後面カバー２の振動減衰部材装着部２００の下方には、前記カバーフレーム一体型スピーカー１のフレームの上・下部にそれぞれ形成されたネジ締付孔１０６に対応するネジ結合孔２０３が形成された突起部２０４が形成される。また、前記カバーフレーム一体型スピーカー１のガスケット１０２とカバーフレーム１０１の前面は側面から見るときなるべく段差なしに同一面上に位置するように結合される。これとともに、前記カバーフレーム一体型スピーカー１のカバーフレーム１０１の後方縁には凹入溝１０５が形成され、後面カバー２のカバーフレーム１０１との結合面にはリブ（ｒｉｂ）２０５が形成される。前記カバーフレーム一体型スピーカー１と後面カバー２との組立時に、前記後面カバー２のリブ２０５とカバーフレーム一体型スピーカー１の凹入溝１０５とが形合されることにより後音の漏洩が防止されるように構成される。
【００４４】
この際、前記リブ２０５と凹入溝１０５の形成位置は変わってもよい。更に、後面カバー２とカバーフレーム１０１の結合面にそれぞれ形成されるリブ２０５と凹入溝１０５の個数を複数個にして後音の漏洩をより確実に防止することもできる。すなわち、リブ２０５及び凹入溝１０５の幾何学的な構造により音波の通過すべき経路が長くなり、リブ２０５が音波を遮断する役割をするので、リブ２０５及び凹入溝１０５の個数が適正の数に増えると音波遮断効果が増大する。
【００４５】
一方、前記振動減衰部材３は、円周面上に複数個の切開溝３０１が形成された中空シリンダ状のボディー部３００と、前記ボディー部３００の切開溝３０１の形成されない一端に半径方向に形成されたフランジ部３０２と、前記ボディー部３００の切開溝３０１の形成された他端に半径方向に突出して形成された突起３０４とからなる。
【００４６】
ここで、前記振動減衰部材３は、振動減衰部材装着部２００に組み立てる際、ボディー部３００が前記振動減衰部材装着部２００の装着孔２０１の内周面に接触し、前記ボディー部３００の一端に半径方向に形成されたフランジ部３０２が振動減衰部材装着部２００の前方縁にかかり、前記ボディー部３００の他端に放射状に形成された突起３０４が前記振動減衰部材装着部２００の後方縁にかかるようになって振動減衰部材装着部２００からの離脱が防止される。そして、前記振動減衰部材３のフランジ部３０２には振動減衰部材装着部２００の前方縁との接触面積を減少させて振動伝達面積を減少させるために複数個の切開溝３０３を放射状に備える。また、前記振動減衰部材３の突起３０４の末端は、振動減衰部材装着部２００に組み立てる際、前記突起３０４部分が装着孔２０１に容易に挿入されるように面取り（ｃｈａｍｆｅｒｉｎｇ）されている。
【００４７】
一方、前記キャビネット４の後面には、前記振動減衰部材３挿入後の締付部材であるワッシャ付ネジ（ｗａｓｈｅｒ  ｂａｓｅｄ  ｓｃｒｅｗ）５を利用して締め付けることでスピーカー１００の結合された後面カバー２をキャビネット４に固定させるスピーカーシステム装着用結合ボス４００（以下、システム装着用結合ボスとする。）が形成されており、前記システム装着用結合ボス４００の外周面上には前記システム装着用結合ボス４００の外周面に挿入される振動減衰部材３の挿入深さを限定する位置決めリブ４０１が設けられている。この際、前記位置決めリブ４０１からのシステム装着用結合ボス４００に締め付けられたワッシャ付ネジ５までの距離は振動減衰部材３の軸方向長よりも長く形成され、前記システム装着用結合ボス４００の直径はその外周面に挿入される振動減衰部材３のボディー部３００の内径よりも十分に小さく形成され、前記ワッシャ付ネジ５が振動減衰部材３を圧縮しないようにするとともに、前記振動減衰部材３の結合されたスピーカーシステムがシステム装着用結合ボス４００の軸方向に沿って移動可能に構成される。
【００４８】
以下、このように構成された本発明の第１実施形態の映像表示機器用のスピーカーシステムの組立過程及び作用を説明する。
【００４９】
まず、カバーフレーム一体型スピーカー１のカバーフレーム１０１の後方縁に形成された凹入溝１０５（図７Ｂを参照）に後面カバー２のカバーフレーム１０１との結合面上に形成されたリブ２０５（図７Ａを参照）を結合させると、図９ＡのＩＶ−ＩＶ線の断面が示される図１１に示すようにカバーフレーム一体型スピーカー１と後面カバー２とが完全に密着される。このような状態で前記カバーフレーム１０１のネジ締付孔１０６及び後面カバー２のネジ結合孔２０３を介してネジ１０７を締め付けることで前記カバーフレーム一体型スピーカー１と後面カバー２とを組み立てる。これにより、本発明の第１実施形態のスピーカーシステムではリブ２０５と凹入溝１０５の幾何学的な構造により後音の漏洩が遮断されるので、後音による前向音の音圧の損失を防止することができる。更に、本発明の第１実施形態のスピーカーシステムでは、従来のスピーカーシステムに適用された前面カバーを省略して前面カバーとスピーカーとの締付のための締付部材を省略するので、製造コストを低減し、組立時の作業性を著しく向上させることができる。
【００５０】
一方、カバーフレーム一体型スピーカー１と後面カバー２とを結合した後には、図１２Ａに示すように振動減衰部材３を装着部の装着孔２０１（図１２Ａの‘Ｈ’方向）内に押入すると、切開溝３０１を有するボディー部３００が半径中心方向（図１２Ｂの‘Ｋ’方向）に小さくなることにより装着孔２０１内に入ることになる。この際、前記振動減衰部材３の突起３０４の末端が面取りされているから、前記振動減衰部材装着部２００への組立時に前記突起３０４部分が装着孔２０１内に容易に挿入される。又、振動減衰部材３のボディー部３００が装着孔２０１内に完全に挿入された後には材質自体の弾性復元力によりボディー部３００が図１２Ｂに示すように本来の形状に復元され、これにより切開溝３０１の形成されたボディー部３００の他端に設けられた突起３０４が振動減衰部材装着部２００の後方縁に位置するようになって振動減衰部材３の離脱が防止される。すなわち、切開溝３０１の形成されたボディー部３００の他端に設けられた突起３０４が振動減衰部材装着部２００の後方縁にかかることにより、軸方向への振動減衰部材３の離脱が防止される。
【００５１】
次いで、キャビネット４に結合されたシステム装着用結合ボス４００には、スピーカー１００に装着された振動減衰部材３のボディー部３００を通過させた後、図１０に示すように前記結合ボス４００に締付部材のワッシャ付ネジ５を締め付ける。前記システム装着用結合ボス４００と本発明の第１実施形態のスピーカーシステムとの結合状態は、図１３Ａ及び図１３Ｂの斜視図から容易に確認可能である。この際、前記振動減衰部材３の挿入深さはシステム装着用結合ボス４００の外周面上に形成された位置決めリブ４０１により決定されるが、図１０に‘ｄ’に示すように一定のサイズの間隙を維持するように結合ボスの深さを設計して締付部材のワッシャ付ネジ５が振動減衰部材３を圧縮しないようにすることが好ましい。これとともに、前記キャビネット４に結合されたシステム装着用結合ボス４００の直径はその外周面に挿入される振動減衰部材３のボディー部３００の内径よりも十分に小さく形成して、フレーム一体型スピーカー１及び後面カバー２からなるスピーカーシステムが前記結合ボス４００とワッシャ付ネジ５との間でボスの軸方向に沿って図１０の‘ｄ’のようなサイズのストローク（ｓｔｒｏｋｅ）で移動できるようにすることが好ましい。
【００５２】
一方、本発明では、振動減衰手段なしに強制体のネジによりキャビネット４に直結してあってスピーカー１００から発生した振動が減衰されないまままっすぐにキャビネット４に伝達される従来とは違い、スピーカーの作動時に発生した振動が振動減衰部材３のダンピング作用により減衰されるので、キャビネット４に伝達される振動が顕著に減少する。特に、本発明においては、振動減衰部材３のボディー部３００及びフランジ部３０２にそれぞれ形成された切開溝３０１、３０３により、振動減衰部材のボディー部３００とキャビネット４上のシステム装着用結合ボス４００との接触面積が減少し、振動減衰部材３のフランジ部３０２と前記ボスの外周面上の位置決めリブ４０１との接触面積が減少し、振動減衰部材装着部２００の前方縁と振動減衰部材３のフランジとの接触面積及び振動減衰部材装着部２００の後方縁と振動減衰部材３の突起３０４との接触面積がそれぞれ減少するので、スピーカーの作動時にキャビネット４に伝達される振動が一層効果的に遮断される。すなわち、振動減衰部材３と振動減衰部材装着部２００との接触面、及び振動減衰部材３とキャビネット４上のシステム装着用結合ボス４００及び位置決めリブ４０１との接触面は振動伝達面として作用するので、切開溝３０１、３０３により各接触部の接触面積を減少させることができ、接触面積の減少分に比例してキャビネット４に伝達される振動も減少させることができるようになる。
【００５３】
従って、本発明の第１実施形態では、振動減衰部材３の材質特性及び幾何学的な構造により振動伝達経路が遮断されるとともに振動伝達面積が減少するので、映像表示機器の画面フリッカ現象が効果的に除去される。前記振動減衰部材３のフランジ部３０２は、位置決めリブ４０１と振動減衰部材装着部２００との直接的な接触を防止する役割を兼ねる。
【００５４】
一方、本発明のスピーカーシステムでは、図１０と図３との比較から分かるように、従来とは違って前面カバーが除去されるため、ガスケット１０２の前方に何の音波通路も形成されない。これにより、従来のように洞穴効果により音質が低下する現象が生じない。
【００５５】
そして、本発明のスピーカーシステムでは、カバーフレーム１０１にエッジ１０３とガスケット１０２が接着剤で接着されており、ガスケット１０２の幅がカバーフレーム一体型スピーカー１の幅（図９Ａの‘Ｗ’）と同じである。従って、本発明のスピーカーシステムでは、モニタの幅が従来のスピーカーシステムのモニタの幅（図５の‘Ｆ’）と同じで、前面フレームの幅が従来のスピーカーシステムの前面カバーの幅と同じであると見なす場合、実際音の発生するスピーカー１００の短径を従来のスピーカーシステムのスピーカー１００の短径よりも遥かに大きくすることができる。すなわち、従来技術図４の幅‘Ａ’（前面カバーの外壁内側面とスピーカー１００の外側面との間の間隙）の２倍ぐらいスピーカー１００の短径を大きくすることができ、これはスピーカーシステムの短径と長径の比を１：１に近くすることを意味する。従って、他の条件が同一である場合、本発明の第１実施形態による映像表示機器用のスピーカーシステムは従来の映像表示機器用のスピーカーシステムに比べて一層良好な音質を具現することができる。
【００５６】
本発明は、映像表示機器の内部に装着されるスピーカーシステムの構造を改善して原価の低減及び生産性の向上を図る一方、漏れる後音による前向音の音圧の損失を防止し、スピーカーの作動時に発生するシステムの振動を減衰手段で減衰させてキャビネットに伝達しないようにして高音質且つ低ハウリング構造のスピーカーシステムを具現する。
【００５７】
本発明は、映像表示機器用のスピーカーシステムにおいて、後面カバー２との組立のためのネジ締付孔１０６を上・下部にそれぞれ備えたカバーフレーム１０１と音響を放出するためのスピーカー１００とが結合されたカバーフレーム一体型スピーカー１と、前記カバーフレーム一体型スピーカー１の後方に結合され、上・下部にそれぞれ振動減衰部材装着部２００がある後面カバー２と、前記カバーフレーム一体型スピーカー１とキャビネットとの間に介在して前記スピーカー１００の作動時に発生するシステムの振動をキャビネット４に伝達しないように前記システムの振動を減衰させる振動減衰手段とを備えることを特徴とする映像表示機器用のスピーカーシステムを提供する。
【００５８】
【発明の効果】
本発明のスピーカーシステムの効果は以下の通りである。
【００５９】
まず、本発明によれば、原価の節減及び組立時の生産性の向上を図る一方、漏れる後音による前向音の音圧の損失を防止し、スピーカーの作動時に発生するシステムの振動を減少させてキャビネットに伝達するので、高音質且つ低ハウリング構造のスピーカーシステムを具現することができる。すなわち、本発明によるスピーカーシステムでは、スピーカー１００と後面カバー２との結合のための媒介手段である前面カバーを必要としないので、スピーカーシステムの製造コストを低減し、部品の製造及び組立にあたる生産性を向上させることができる。
【００６０】
また、本発明のスピーカーシステムでは前面カバーがないので、前面カバーの外壁内側面とスピーカー１００の外側面との間に要求される一定のサイズの間隙（図４の‘Ａ’）をスピーカー１００の短径を伸ばすに使用可能なので、設計的な側面でスピーカー１００の短径を極大化してより高音質のスピーカーシステムの装着を可能にする。そして、本発明によるスピーカーシステムは、カバーフレーム一体型スピーカー１と後面カバー２とを完全に密着させることで漏洩される後音の影響による前向音の音圧の損失を防止することができるので、ついに音質を向上させることができる。更に、本発明のスピーカーシステムは、構造を改善してスピーカーの作動時に出る前向音の通る音波通路を取り除いて前向音に対して洞穴効果を起こさないので、前向音の音質の低下する現象を防止することができる。
【００６１】
更に、本発明のスピーカーシステムは振動減衰手段を備えるので、スピーカー１００から発生した振動を効果的に減少させてスピーカーシステムの振動による画面フリッカ現象を防止することができ、スピーカー１００の出力を高めることができ、ひいてはスピーカーシステムを高品質化することができる。
【００６２】
本発明は上記の実施形態に限定されず、本発明の技術思想範囲から脱しない限りサイズ、形状、材質等の改造及び変更が可能である。
【図面の簡単な説明】
【図１】従来の映像表示機器用のスピーカーシステムを示す分解斜視図である。
【図２】図１のＩ−Ｉ線上の横断面図である。
【図３】図１の結合状態を示す縦断面図である。
【図４】図３のＩＩ−ＩＩ線上の横断面図である。
【図５】従来の映像表示機器を前面から見た概略図である。
【図６】本発明によるスピーカーシステムの映像表示機器の内部での設置位置を示す概略図である。
【図７Ａ】本発明のスピーカーシステムを示す分解斜視図である。
【図７Ｂ】図７Ａを背面から見た分解斜視図である。
【図８】図７Ａの結合状態を示す斜視図である。
【図９Ａ】図８のスピーカーシステムの正面図である。
【図９Ｂ】図８のスピーカーシステムの側面図である。
【図１０】図９ＡのＩＩＩ−ＩＩＩ線上の縦断面図である。
【図１１】図９ＡのＩＶ−ＩＶ線上の横断面図である。
【図１２Ａ】図１１の振動減衰部材の組立過程を示す図であり、振動減衰部材が弾性変形しながら装着孔内に挿入されている途中の状態を示す縦断面図である。
【図１２Ｂ】図１１の振動減衰部材の組立過程を示す図であり、振動減衰部材が装着孔内に挿入完了した後復元された状態を示す縦断面図である。
【図１３Ａ】本発明の第１実施形態のスピーカーシステムがキャビネット上に結合されたスピーカーシステム装着用結合ボスに結合される状態を示す分解斜視図である。
【図１３Ｂ】図１３Ａの結合状態を示す斜視図である。
【符号の説明】
１  カバーフレーム一体型スピーカー
２  後面カバー
３  振動減衰部材
４  キャビネット
２００  振動減衰部材装着部
３００  中空シリンダ状のボディー部
【図１】
0004047121.tif 000002
【図２】
0004047121.tif 000003
【図３】
0004047121.tif 000004
【図４】
0004047121.tif 000005
【図５】
0004047121.tif 000006
【図６】
0004047121.tif 000007
【図７Ａ】
0004047121.tif 000008
【図７Ｂ】
0004047121.tif 000009
【図８】
0004047121.tif 000010
【図９Ａ】
0004047121.tif 000011
【図９Ｂ】
0004047121.tif 000012
【図１０】
0004047121.tif 000013
【図１１】
0004047121.tif 000014
【図１２Ａ】
0004047121.tif 000015
【図１２Ｂ】
0004047121.tif 000016
【図１３Ａ】
0004047121.tif 000017
【図１３Ｂ】
0004047121.tif 000018